(57)【要約】【課題】  受光部での光信号の受信性能に支障を来さずに、リモコン受光器自体の静電気遮蔽性能を高める。【解決手段】  樹脂モールド２から導出されたリードピン３１，３２，３３の端部を配線基板１００の孔部に挿通させてその配線基板１００の裏面で半田付けする。樹脂モールド２を保持している金属シャーシ４の脚片部４１を配線基板１００に立設し、その脚片部４１の端子部４１ａを配線基板１００の孔部に挿通させてその配線基板１００の裏面で半田付けする。樹脂モールド２、リードピン３１，３２，３３及び金属シャーシ４の配線基板２００の表面側での露出部分の全体を光透過性を有する樹脂層５で被覆する。【選択図】        図１
2006245250.tif 000002
【特許請求の範囲】
【請求項１】
受光素子を埋入している樹脂モールドから導出されたリードピンの端部が配線基板の孔部に挿通されてその配線基板の裏面で半田付けされると共に、上記樹脂モールドを保持している金属シャーシの脚片部が上記配線基板に立設され、その脚片部に設けられた端子部が上記配線基板の孔部に挿通されてその配線基板の裏面で半田付けされるリモコン受光器において、
上記樹脂モールド、上記リードピン及び上記金属シャーシの上記配線基板の表面側での露出部分の全体を、それらの外面に密着しかつそれらの外面に沿って形成された薄層でなる光透過性を有する樹脂層で被覆してなり、上記樹脂モールドの受光部が機器キャビネットの受光窓に臨んでいることを特徴とするリモコン受光器。
【請求項２】
受光素子を埋入している樹脂モールドから導出されたリードピンの端部が配線基板の孔部に挿通されてその配線基板の裏面で半田付けされると共に、上記樹脂モールドを保持している金属シャーシの脚片部が上記配線基板に立設され、その脚片部に設けられた端子部が上記配線基板の孔部に挿通されてその配線基板の裏面で半田付けされるリモコン受光器において、
上記樹脂モールド、上記リードピン及び上記金属シャーシの上記配線基板の表面側での露出部分の全体を光透過性を有する樹脂で被覆してあることを特徴とするリモコン受光器。
【請求項３】
上記樹脂モールド、上記リードピン及び上記金属シャーシが、それらに密着した樹脂層によって被覆されている請求項２に記載したリモコン受光器。
【請求項４】
上記樹脂層が、上記樹脂モールド、上記リードピン及び上記金属シャーシの外面に沿って形成された薄層でなる請求項３に記載したリモコン受光器。
【発明の詳細な説明】
【技術分野】
【０００１】
本発明は、リモコン受光器、特に、外来ノイズによる悪影響を防ぐための対策が講じられているリモコン受光器に関する。
【背景技術】
【０００２】
リモコン受光器は、テレビジョン受像機やビデオデッキといったＡＶ機器、その他の電気電子機器に広く採用されている。
【０００３】
図３に従来のリモコン受光器を概略斜視図で示してある。このリモコン受光器１は、受光素子を埋入している偏平直方体形状の樹脂モールド２から３本のリードピン３１，３２，３３が引き出されていると共に、左右一対の脚片部４１，４１を備える金属シャーシ４のコ字形の保持枠部４２に上記樹脂モールド２が固定されてその保持枠部４２に具備された膨らみ部４３内に樹脂モールド２の受光部２１が配備されている。そして、３本のリードピン３１，３２，３３のそれぞれの端部３１ａ，３２ａ，３３ａが配線基板（不図示）の孔部に挿通されてその配線基板の裏面で半田付けされ、かつ、金属シャーシ４の左右の脚片部４１，４１に設けられた端子部４１ａ，４１ａが上記配線基板の別の孔部に挿通されてその配線基板の裏面で半田付けされるようになっている。
【０００４】
図４は図３で説明した従来のリモコン受光器１の使用状態を示した横断平面図である。同図において、１００は配線基板であり、この配線基板１００に搭載されているリモコン受光器１の受光部２１が、配線基板１００を収容しているキャビネット２００の受光窓２１０に臨んでいると共に、その受光窓２１０が、その受光窓２１０の周縁部に溶着接合された光透過性を有する樹脂プレート２２０で塞がれている。この使用状態では、図示していないリモートコントローラ（リモコン）で出力された光信号が受光窓２１０と樹脂プレート２２０を通過してリモコン受光器１の受光部２１に到達することにより樹脂モールド２に埋入されている受光素子が動作する。
【０００５】
ところで、図４に示したように、リモコン受光器１は、一般的に機器のキャビネット２００の近くに設置されてその受光部２１がキャビネット２００の受光窓２１０に臨んでいる。そのため、ユーザがキャビネット２００に手を触れたりした場合の静電気などに起因する外来ノイズの悪影響を受けやすい箇所に設置されていると云え、そのような外来ノイズによる悪影響を防ぐための対策が講じられていない場合には、その悪影響によって受光素子やそれに接続されている回路や各種素子などが破壊するに至るおそれがある。また、一般的には、リモコン受光器１の周囲に空間や隙間が存在している場合に、その空間や隙間から飛び込んだ外来ノイズが悪影響を及ぼすとされている。
【０００６】
この点に関し、図４で説明した使用状態では、受光窓２１０が樹脂プレート２２０によって塞がれているので、その樹脂プレート２２０によって外来ノイズの飛び込みが抑制されているとも云える。しかし、樹脂プレート２２０とキャビネット２００との間には不可避的に生じる隙間が存在し、また、キャビネット２００の他の箇所、たとえばキャビネットの合わせ部などにも隙間が存在するのて、それらの隙間から外来ノイズが飛び込んでリモコン受光器１に悪影響を及ぼす懸念がある。
【０００７】
そこで、従来より、外来ノイズによる悪影響を抑制するための対策が種々講じられている（たとえば特許文献１、特許文献２、）。特許文献１に記載されている対策では、図３で説明した構成を備えるリモコン受光器の樹脂モールドに、そのアース端子（いずれかのリードピン）に接続されて受光素子の前面を横切るように配設されたシールド片を追加して封入してある。また、特許文献２や特許文献３には、受光器（受光部）とは価格を隔ててその周囲に板状部材や導電性薄膜を配置することが記載されている。さらに、特許文献４では、通信処理部や演算制御部を樹脂モールドに封入し、その樹脂モールドの外周をシールド導体によって取り囲むことが記載されている。
【特許文献１】特開平１０−２７１５８０号公報
【特許文献２】特開平９−２３３５７７号公報
【特許文献３】実開昭６２−１４６３２７号公報
【特許文献４】特開平７−９５６５８号公報
【発明の開示】
【発明が解決しようとする課題】
【０００８】
しかしながら、特許文献１に記載されている対策では、樹脂モールドの内部にシールド片を追加してあるに過ぎないので、図３に示したリモコン受光器１の金属シャーシ４に作用する外来ノイズを遮断することができない。また、特許文献２や特許文献３によって提案されている対策は、いずれもリモコン受光器自体に外来ノイズを遮断する性能を付加しようとするものではなく、リモコン受光器の周囲に外来ノイズを遮蔽するための部材を配備しておくというものであるので、リモコン受光器の周囲には必然的に空間が発生してその空間を経て外来ノイズがリモコン受光器に作用するというおそれがある。さらに、特許文献４に記載されているものは、樹脂モールドの外周をシールド導体で取り囲んでいるだけであるので、樹脂モールド２を金属シャーシ４によって取り囲んである図３のリモコン受光器と軌を一にするものであるとも考えられる。
【０００９】
本発明は以上の状況の下でなされたものであり、図３で説明した基本構成を備えるリモコン受光器において、それ自体に高い静電気遮蔽性能を付与することを目的としている。
【００１０】
また、本発明は、高い静電気遮蔽性能を備えたリモコン受光器を提供することによって、シールド部材などの余分な部材をリモコン受光器の周囲に配設するという必要性を軽減することを目的とする。
【課題を解決するための手段】
【００１１】
本発明に係るリモコン受光器は、受光素子を埋入している樹脂モールドから導出されたリードピンの端部が配線基板の孔部に挿通されてその配線基板の裏面で半田付けされると共に、上記樹脂モールドを保持している金属シャーシの脚片部が上記配線基板に立設され、その脚片部に設けられた端子部が上記配線基板の孔部に挿通されてその配線基板の裏面で半田付けされるリモコン受光器において、上記樹脂モールド、上記リードピン及び上記金属シャーシの上記配線基板の表面側での露出部分の全体を光透過性を有する樹脂で被覆してある、というものである。
【００１２】
これによれば、配線基板の表面側での露出部分の全体が樹脂で被覆されているために、リードピンや金属シャーシの表面が外部に露出することがなくなってそれらに外来ノイズが直接に作用するという事態が起こらない。そのため、リモコン受光器自体の静電気遮蔽性能が高まり、機器のキャビネット内への設置に際して、シールド部材などの余分な部材をリモコン受光器の周囲に配設するという必要性が少なくなる。また、被覆に用いられる樹脂が光透過性を有しているので、受光部での光信号の受信性能に支障を来すような事態は起こらない。なお、この発明において、樹脂による被覆は、樹脂モールド、上記リードピン及び上記金属シャーシのそれぞれに対して個別に施しても、あるいは、それらの全体を封入する形で樹脂のモールドを設けることによってもよい。
【００１３】
本発明では、上記樹脂モールド、上記リードピン及び上記金属シャーシが、それらに密着した樹脂層によって被覆されている、という構成を採用することが可能である。これによれば、特にリードピンや金属シャーシの周囲に隙間や空間が存在しなくなって高い静電気遮蔽性能が発揮される。
【００１４】
本発明では、上記樹脂層が、上記樹脂モールド、上記リードピン及び上記金属シャーシの外面に沿って形成された薄層でなる、という構成を採用することが可能であり、これによると、リモコン受光器を溶融樹脂に浸漬するという方法や、溶融樹脂を塗布するという方法で樹脂層を容易に形成することが可能になる。
【００１５】
本発明に係るリモコン受光器は、受光素子を埋入している樹脂モールドから導出されたリードピンの端部が配線基板の孔部に挿通されてその配線基板の裏面で半田付けされると共に、上記樹脂モールドを保持している金属シャーシの脚片部が上記配線基板に立設され、その脚片部に設けられた端子部が上記配線基板の孔部に挿通されてその配線基板の裏面で半田付けされるリモコン受光器において、上記樹脂モールド、上記リードピン及び上記金属シャーシの上記配線基板の表面側での露出部分の全体を、それらの外面に密着しかつそれらの外面に沿って形成された薄層でなる光透過性を有する樹脂層で被覆してなり、上記樹脂モールドの受光部が機器キャビネットの受光窓に臨んでいる、という構成を採用することが可能である。この発明による作用は後述する実施形態を参照して詳細に説明する。
【発明の効果】
【００１６】
本発明に係るリモコン受光器は、樹脂モールド、リードピン及び金属シャーシの配線基板の表面側での露出部分の全体を光透過性を有する樹脂で被覆してある、というものであるので、受光部での光信号の受信性能に支障を来さずに、当該リモコン受光器自体の静電気遮蔽性能を高められる。そのため、機器のキャビネットの内部に設置する場合に、シールド部材などの余分な部材をリモコン受光器の周囲に配設するという必要性が軽減されるという利点もある。
【発明を実施するための最良の形態】
【００１７】
図１は本発明の実施形態に係るリモコン受光器１の使用状態を示した一部破断側面図、図２は同リモコン受光器１の平面図である。
【００１８】
このリモコン受光器１は、受光素子を埋入している偏平直方体形状の樹脂モールド２から３本のリードピン３１，３２，３３が引き出されている点、左右一対の脚片部４１，４１を備える金属シャーシ４のコ字形の保持枠部４２に樹脂モールド２が固定されてその保持枠部４２に具備された膨らみ部４３内に樹脂モールド２の受光部２１が配備されている点、３本のリードピン３１，３２，３３のそれぞれの端部３１ａ，３２ａ，３３ａ（端部３１ａ，３３ａは図に現れていない）が配線基板１００の孔部１０１に挿通されてその配線基板１００の裏面で半田付けされている点、金属シャーシ４の左右の各脚片部４１に設けられた端子部４１ａが配線基板１００の別の孔部１０２に挿通されてその配線基板１００の裏面で半田付けされるようになっている点で、図３を参照して説明した従来例と同様である。
【００１９】
この実施形態では、樹脂モールド２、３本のリードピン３１，３２，３３及び金属シャーシ４の配線基板１００の表面側での露出部分の全体が光透過性を有する樹脂層５で被覆されている。図１及び図２を併せ見ることによって判るように、この樹脂層５は、樹脂モールド２、リードピン３１，３２，３３及び金属シャーシ４の外面に沿って形成された薄層でなり、しかも、その樹脂層５が樹脂モールド２、リードピン３１，３２，３３及び金属シャーシ４のそれぞれの表面に密着している。樹脂層５の材料には透明の塩化ビニル樹脂が用いられている。そのため、この樹脂層５が受光部２１を覆っているとしても、受光部２１での光信号の受信性能に支障を来すことはない。
【００２０】
上記リモコン受光器１によると、配線基板１００の表面側での露出部分の全体が樹脂で被覆されており、しかも、樹脂層５がリードピン３１，３２，３３及び金属シャーシ４に密着しているために、リードピン３１，３２，３３や金属シャーシ４の表面が外部に露出したり、その周囲に空間や隙間が存在したりすることがなくなって、それらに外来ノイズが直接に作用するという事態が起こらなくなる。そのため、リモコン受光器１自体が高い静電気遮蔽性能を有するようになり、シールド部材などの余分な部材をリモコン受光器１の周囲に配設するという必要性が少なくなる。
【００２１】
この実施形態のように、樹脂層５が樹脂モールド２、リードピン３１，３２，３３及び金属シャーシ４の外面に沿って形成された薄層によって形成されているリモコン受光器１は、図３を参照して説明したリモコン受光器１を溶融樹脂に浸漬するという方法や、溶融樹脂を塗布するという方法でその樹脂層５を容易に形成することが可能になるという利点がある。
【００２２】
この実施形態では、樹脂モールド２、リードピン３１，３２，３３及び金属シャーシ４の外面に沿って形成された薄層によって被覆した事例を説明したけれども、この点は、たとえば３本のリードピン３１，３２，３３を板片状に成形した樹脂層によって被覆したり、あるいは、樹脂モールド２、リードピン３１，３２，３３及び金属シャーシ４の全体を直方体形状に成形した樹脂層によって被覆したりしてもよい。
【００２３】
この実施形態のリモコン受光器１によれば、そのリモコン受光器１自体の静電気遮蔽性能が樹脂の被覆によって高められているので、図１のように、機器のキャビネット２００の内部に設置する場合に、受光部２１が臨む受光窓２１０を樹脂プレート２２０（図４参照）で塞いでおくことの必要性が必ずしもなくなるという利点があり、また、シールド部材でリモコン受光器１を取り囲んでおく必要性も必ずしもなくなるという利点がある。
【図面の簡単な説明】
【００２４】
【図１】本発明の実施形態に係るリモコン受光器の使用状態を示した一部破断側面図である。
【図２】同リモコン受光器１の平面図である。
【図３】従来のリモコン受光器の概略斜視図である。
【図４】従来のリモコン受光器の使用状態を示した横断平面図である。
【符号の説明】
【００２５】
１  リモコン受光器
２  樹脂モールド
４  金属シャーシ
５  樹脂層
３１，３２，３３  リードピン
３１ａ，３２ａ，３３ａ  リードピンの端部
４１  脚片部
４１ａ  端子部
１００  配線基板
１０１  孔部
１０２  孔部
２００  キャビネット
２１０  受光窓
【図１】
2006245250.tif 000003
【図２】
2006245250.tif 000004
【図３】
2006245250.tif 000005
【図４】
2006245250.tif 000006